【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
上部に開口を有するダストケースと、
前記ダストケースの開口を塞ぐように配置される本体ハウジングと、
前記本体ハウジングに内蔵されるモータと、
前記モータによって回転駆動される集塵ファンと、
交流電源を供給可能な電源経路と、
前記本体ハウジングに対して着脱自在に装着されて直流電源を供給可能な電池パックと、
前記直流電源からの電力を昇圧して前記モータに供給する昇圧回路と、を備え、
前記モータ自身を冷却する自冷ファンの吸気風で、前記昇圧回路を冷却することを特徴とする集塵機。
【請求項２】
前記交流電源が接続されておらず前記直流電源が接続された場合に前記直流電源を利用可能とし、前記交流電源と前記直流電源が共に利用可能な場合に前記交流電源を優先的に利用可能とする自動スイッチを有することを特徴とする請求項１に記載の集塵機。
【請求項３】
前記交流電源を利用する場合には前記昇圧回路を介さずに前記モータに電力を供給することを特徴とする請求項１又は２に記載の集塵機。
【請求項４】
前記昇圧回路は、前記モータの側方に長手方向が上下方向を向く縦置きに配置されることを特徴とする請求項１乃至３のいずれか一項に記載の集塵機。
【請求項５】
前記本体ハウジングに前記交流電源と前記直流電源のいずれが前記モータに電力を供給しているのかを視認可能な駆動電源表示部を設けたことを特徴とする請求項１乃至４のいずれか一項に記載の集塵機。
【請求項６】
前記本体ハウジングに前記電池パックが装着されている場合に前記電池パックの残量を表示する電池残量表示部を備えることを特徴とする請求項１乃至５のいずれか一項に記載の集塵機。
【請求項７】
前記電池パックは、前記モータの側方の一方の側に配置され、前記モータの他方の側に、前記電源から前記モータへの電力の供給を可能とする操作スイッチを有する操作部が配置されることを特徴とする請求項１乃至６のいずれか一項に記載の集塵機。
【請求項８】
前記電池パックは、前記モータの側方に長手方向が上下方向を向いて配置されることを特徴とする請求項１乃至７のいずれか一項に記載の集塵機。
【請求項９】
前記電池パックを複数備え、複数の前記電池パックそれぞれの長手方向が互いに略平行となるように前記モータの側方に装着可能とされていることを特徴とする請求項８に記載の集塵機。
【請求項１０】
前記複数の電池パックは、単独で他の１種類以上の工具に使用可能な互換性を有することを特徴とする請求項９に記載の集塵機。
【請求項１１】
上部に開口を有するダストケースと、
前記ダストケースの開口を塞ぐように配置される本体ハウジングと、
前記本体ハウジングに内蔵されるブラシレスモータと、
前記ブラシレスモータによって回転駆動される集塵ファンと、
前記本体ハウジングに対して着脱自在に装着されて直流電源を供給可能な電池パックと、
前記ブラシレスモータを制御する制御用回路と、を備え、
前記モータ自身を冷却する自冷ファンの吸気風で、前記制御用回路を冷却することを特徴とする集塵機。
【請求項１２】
前記本体ハウジングに前記交流電源と前記直流電源のいずれが前記モータに電力を供給しているのかを視認可能な駆動電源表示部を設けたことを特徴とする請求項１１に記載の集塵機。
【請求項１３】
前記本体ハウジングに前記電池パックが装着されている場合に前記電池パックの残量を表示する電池残量表示部を備えることを特徴とする請求項１１又は１２に記載の集塵機。
【請求項１４】
前記電池パックは、前記モータの側方の一方の側に配置され、前記モータの他方の側に、前記電源から前記モータへの電力の供給を可能とする操作スイッチを有する操作部が配置されることを特徴とする請求項１１乃至１３のいずれか一項に記載の集塵機。
【手続補正２】
【補正対象書類名】明細書
【補正対象項目名】０００５
【補正方法】変更
【補正の内容】
【０００５】
本発明の第１の態様は集塵機である。この集塵機は、上部に開口を有するダストケースと、前記ダストケースの開口を塞ぐように配置される本体ハウジングと、前記本体ハウジングに内蔵されるモータと、前記モータによって回転駆動される集塵ファンと、交流電源を供給可能な電源経路と、前記本体ハウジングに対して着脱自在に装着されて直流電源を供給可能な電池パックと、前記直流電源からの電力を昇圧して前記モータに供給する昇圧回路と、を備え、
前記モータ自身を冷却する自冷ファンの吸気風で、前記昇圧回路を冷却することを特徴とする。
【手続補正３】
【補正対象書類名】明細書
【補正対象項目名】０００６
【補正方法】変更
【補正の内容】
【０００６】
前記交流電源が接続されておらず前記直流電源が接続された場合に前記直流電源を利用可能とし、前記交流電源と前記直流電源が共に利用可能な場合に前記交流電源を優先的に利用可能とする自動スイッチを有するとよい。
【手続補正４】
【補正対象書類名】明細書
【補正対象項目名】０００７
【補正方法】変更
【補正の内容】
【０００７】
前記交流電源を利用する場合には前記昇圧回路を介さずに前記モータに電力を供給するとよい。
【手続補正５】
【補正対象書類名】明細書
【補正対象項目名】０００８
【補正方法】変更
【補正の内容】
【０００８】
前記昇圧回路は、前記モータの側方に長手方向が上下方向を向く縦置きに配置されとよい。
【手続補正６】
【補正対象書類名】明細書
【補正対象項目名】０００９
【補正方法】変更
【補正の内容】
【０００９】
前記本体ハウジングに前記交流電源と前記直流電源のいずれが前記モータに電力を供給しているのかを視認可能な駆動電源表示部を設けるとよい。
【手続補正７】
【補正対象書類名】明細書
【補正対象項目名】００１０
【補正方法】変更
【補正の内容】
【００１０】
前記本体ハウジングに前記電池パックが装着されている場合に前記電池パックの残量を表示する電池残量表示部を備えるとよい。
【手続補正８】
【補正対象書類名】明細書
【補正対象項目名】００１１
【補正方法】変更
【補正の内容】
【００１１】
前記電池パックは、前記モータの側方の一方の側に配置され、前記モータの他方の側に、前記電源から前記モータへの電力の供給を可能とする操作スイッチを有する操作部が配置されるとよい。
【手続補正９】
【補正対象書類名】明細書
【補正対象項目名】００１２
【補正方法】変更
【補正の内容】
【００１２】
前記電池パックは、前記モータの側方に長手方向が上下方向を向いて配置されるとよい。
【手続補正１０】
【補正対象書類名】明細書
【補正対象項目名】００１３
【補正方法】変更
【補正の内容】
【００１３】
前記電池パックを複数備え、複数の前記電池パックそれぞれの長手方向が互いに略平行となるように前記モータの側方に装着可能であるとよい。
【手続補正１１】
【補正対象書類名】明細書
【補正対象項目名】００１４
【補正方法】変更
【補正の内容】
【００１４】
前記複数の電池パックは、単独で他の１種類以上の工具に使用可能な互換性を有するとよい。
【手続補正１２】
【補正対象書類名】明細書
【補正対象項目名】００１５
【補正方法】変更
【補正の内容】
【００１５】
本発明の第２の態様も集塵機である。この集塵機は、上部に開口を有するダストケースと、前記ダストケースの開口を塞ぐように配置される本体ハウジングと、前記本体ハウジングに内蔵されるブラシレスモータと、前記ブラシレスモータによって回転駆動される集塵ファンと、前記本体ハウジングに対して着脱自在に装着されて直流電源を供給可能な電池パックと、前記ブラシレスモータを制御する制御用回路と、を備え、
前記モータ自身を冷却する自冷ファンの吸気風で、前記制御用回路を冷却することを特徴とする。
前記第２の態様において、前記本体ハウジングに前記交流電源と前記直流電源のいずれが前記モータに電力を供給しているのかを視認可能な駆動電源表示部を設けるとよい。
前記第２の態様において、前記本体ハウジングに前記電池パックが装着されている場合に前記電池パックの残量を表示する電池残量表示部を備えるとよい。
前記第２の態様において、前記電池パックは、前記モータの側方の一方の側に配置され、前記モータの他方の側に、前記電源から前記モータへの電力の供給を可能とする操作スイッチを有する操作部が配置されるとよい。